【事件の表示】
　平成　７年特許願第２２００８０号「分電盤」拒絶査定不服審判事件〔平成　９年　３月　７日出願公開、特開平　９−　６５５２１〕について、次のとおり審決する。
【結　論】
　本件審判の請求は、成り立たない。
【理　由】
【１】手続の経緯
　本願は、平成７年８月２９日の特許出願（特願平７−２２００８０号）であって、平成１３年１０月１８日付けで拒絶査定がなされ、これに対し、同年１１月２２日に拒絶査定に対する審判請求がなされるとともに、同年１２月２１日付けで手続補正がなされたものである。
　
【２】平成１３年１２月２１日付の手続補正についての補正却下の決定
［補正却下の決定の結論］
　平成１３年１２月２１日付の手続補正を却下する。
［理由］
（１）補正後の本願発明
　本件補正により、特許請求の範囲の請求項１は、
「図面等を挟持することが可能な
間隔で相対向し高さが相互に同程度の
より前方に
と補正された。
　上記補正は、請求項１に記載した発明を特定するために必要な事項である一対の挾み片に係る構成を限定付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下に検討する。
（２）引用文献
　原審の拒絶理由通知において引用文献１として示された実願昭５３−１５０４１９号（実開昭５５−６７６１０号）のマイクロフィルムには、例えば、その
（ａ）明細書第１頁第５〜８行（実用新案登録請求の範囲）の 
『上蓋と、この上蓋が被さり、且つスイッチを装備する合成樹脂製下函と、更にこの下函の内側面に一体に形成された配線図取扱説明図等の文字板を挟持する立片とで成る分電盤。』
なる記載および
（ｂ）同第２頁第２〜７行の 
『以下本考案を一実施例として掲げた図面に基づいて説明すると、１は上蓋、２は下函で合成樹脂にて形成されている。３は下函２に装備されたスイッチ、４は配線図、取扱説明図等の文字板、５はこの文字板４を挟む立片で、下函２の内側面に一体的に形成されている。』
なる記載、そして
（ｃ）第１〜３図の記載内容、特に、上記（ａ）、（ｂ）の記載に関連して前記各図に明示されている、
（ア）一対の立片５，５が、配線図、取扱説明図等の文字板４を挟んで相対向し高さが相互に同程度である構成、
（イ）図面符号３が付され並列する２個のスイッチとそれと同型で該２個のスイッチと並列する図面符号は付されていない１個のスイッチ及び該２個のスイッチとほぼ同じ様な形状を有し、該２個のスイッチ等と隣接する位置にあり、図面符号は付されていない１個のやや大型のスイッチとが下函２の前記立片５，５と別の位置に取り付けられている構成、
（ウ）前記立片５，５、スイッチ３，３等を覆うように前記下函２に上蓋１が取付られている構成、
等からみて、下記の発明（以下、「引用発明」という。）が記載されていると認められる。
［引用発明］
　配線図、取扱説明図等の文字板４を挟んで相対向し高さが等しい一対の立片５，５を有した合成樹脂製の下函２と、この下函２の前記立片５，５と別の位置に取り付けられた図面符号３が付され並列する２個のスイッチとそれと同型で該２個のスイッチと並列する図面符号は付されていない１個のスイッチ及び該２個のスイッチとほぼ同じ様な形状を有し、該２個のスイッチ等と隣接する位置にあり、図面符号は付されていない１個のやや大型のスイッチと、前記下函２に取付けられて前記一対の立片５，５、前記スイッチ３，３等を覆う上蓋１とを備えた分電盤。
（３）対比
　本願補正発明と上記引用発明とを対比すると、各文言の意味、機能または作用等からみて、順に、上記引用発明の「配線図、取扱説明図等の文字板４」は本願補正発明の「図面等」に相当し、以下同様に、「挟んで相対向し高さが等しい」は「挟持することが可能な間隔で相対向し高さが相互に同程度」に、「立片５，５」は「挾み片」に、「別の位置に取り付けられた」は「避けた位置に取着された」に、「下函２」は「ボディ」に、「覆う」は「被覆する」に、そして「上蓋１」は「カバー」に、それぞれ相当すると認められる。
　また、上記引用発明は、「分電盤」に係るものであるから、主幹スイッチと分岐スイッチのどちらも有するものであり、その配置、形状、大きさ、数量等からみて、上記引用発明の「図面符号３が付され並列する２個のスイッチとそれと同型で該２個のスイッチと並列する図面符号は付されていない１個のスイッチ」は、分岐スイッチといえ、本件補正発明の「主幹開閉器」に相当し、上記引用発明の「該２個のスイッチとほぼ同じ様な形状を有し、該２個のスイッチ等と隣接する位置にあり、図面符号は付されていない１個のやや大型のスイッチ」は主幹スイッチといえ、本件補正発明の「主幹開閉器」に相当するものと認められる。
　したがって、本願補正発明と上記引用発明とは、
「図面等を挟持することが可能な間隔で相対向し高さが相互に同程度の一対の挾み片を有した合成樹脂製のボディと、このボディの前記挾み片を避けた位置に取着された主幹開閉器および分岐開閉器と、前記ボディに取付けられて前記一対の挾み片、前記主幹開閉器および分岐開閉器を被覆するカバーとを備えた分電盤」、
である点で一致しており、下記の点で相違している。
［相違点］
　図面等を挟持することが可能な間隔で相対向し高さが相互に同程度の一対の挾み片に関し、本願補正発明が、一対の挾み片の一方の先端部より前方に案内片を突出している態様であるのに対して、引用発明ではそのような態様を備えていない点。
（４）当審の判断
　続いて、上記の相違点について検討する。
　一般に、一対の挾み片でシート状の物品を挟持するにあたり、該一対の挾み片間へのシート状の物品の挿入を円滑、容易にすべく、一対の挾み片の一方の先端部より前方に案内片を突出するように形成することは、種々の技術分野において採用されている周知慣用手段である（必要なら、例えば、実公昭５７−２６７７４号公報の第１，３，４図に示されている、紙又は紙状物等の被挟持物Ａを挟持する一方の部材である平滑扁平面１Ａを有する第一部材１の差込み口ａより先の部分、実願昭５０−９２８３号（実開昭５１−９１０１７号）のマイクロフィルムの第１，２図に示されている、ペーパーＡを挟持する一方の部材である台板１の差し口６より先の部分、実願昭６０−４１２０４号（実開昭６１−１５７０３３号）のマイクロフィルムの第１，２，５図に示されている、カード４を挟持する一方の部材であるリッド１０の紙押え具１１より上の部分、をそれぞれ参照されたい。）。
　それ故、一対の挾み片間への図面等の挿入、挟持を円滑、容易にすべく、上記周知慣用手段に倣って、引用発明における一対の挾み片の一方の先端部より前方に案内片を突出するようにして、本願発明のように構成する程度のことは、当業者であれば必要に応じて容易になし得たものと認められる。
　そして、本願補正発明の構成によってもたらされる明細書に記載の効果も、引用発明および上記周知慣用手段から当業者であれば予測できる範囲のものであって、格別なものとはいえない。
　したがって、本願補正発明は、その出願前に当業者が引用発明および上記周知慣用手段に基いて容易に発明をすることができたものであるから、特許法第２９条第２項の規定により特許出願の際独立して特許を受けることができないものである。
　
（５）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
【３】本願発明について
　平成１３年１２月２１日付の手続補正は上記のとおり却下されたので、本願の請求項１に係る発明（以下、「本願発明」という。）は、出願当初の明細書の特許請求の範囲の請求項１に記載された事項により特定される、以下のとおりのものである。
「図面等を挟持することが可能な一対の挾み片を有しこの挾み片の一方の先端部に案内片を突出した合成樹脂製のボディと、このボディの前記挾み片を避けた位置に取着された主幹開閉器および分岐開閉器と、前記ボディに取付けられて前記一対の挾み片、前記主幹開閉器および分岐開閉器を被覆するカバーとを備えた分電盤。」
　
（１）引用文献
　原査定の拒絶の理由に引用された引用文献１の記載事項は、前記「【２】（２）」に記載したとおりである。
　
（２）対比・判断
　本願発明は実質的に、前記「【２】（１）」で検討した本願補正発明から限定事項である一対の挾み片に係る構成（前記「【２】（１）」でアンダーラインを付した部分の構成）を省いたものである。
　そうすると、本願発明の構成要件を全て含み、さらに他の構成要件を付加したものに相当する本願補正発明が、前記「【２】（４）」に記載したとおり、引用文献１に記載された引用文献１発明および上記周知慣用手段に基いて、当業者が容易に発明をすることができたものであるから、本願発明も、同様の理由により、引用発明および上記周知慣用手段に基いて、当業者が容易に発明をすることができたものである。
　
（３）むすび
　以上のとおり、本願発明は、上記引用文献１に記載された発明および上記周知慣用手段に基いて、当業者が容易に発明をすることができたものであるから、特許法第２９条第２項の規定により特許を受けることができない。
　よって、結論のとおり審決する。